(57)【要約】【課題】建築資材を梱包する梱包材の有効利用を可能とし、廃棄コストの上昇、環境への悪影響を防止すること、又、施工部への注意を喚起する必要がある建築現場において、養生材を建築資材とは別途に用意する必要がなく作業者の作業負担を軽減し便利で、且つ作業者等の注意を喚起可能な養生材を廉価に提供する。【解決手段】梱包材の少なくとも一部を、文字又は／及び色の異なる複数のストライプを他の色と隣接させて構成した縞模様で構成した注意喚起手段を備えた養生材で構成したことを特徴とする梱包材。【選択図】  図１
2006347571.tif 000002
【特許請求の範囲】
【請求項１】
梱包材の少なくとも一部を、注意喚起手段を備えた養生材で構成したことを特徴とする梱包材。
【請求項２】
注意喚起手段は文字又は／及び色の異なる複数のストライプを他の色と隣接させて構成した縞模様で構成したことを特徴とする請求項１記載の梱包材。
【請求項３】
梱包材には養生材を梱包材から切り離すためのミシン目を設けたことを特徴とする請求項１又は２記載の梱包材。
【請求項４】
梱包材に、養生材を養生部分へ貼着可能とする粘着テープを設けたことを特徴とする請求項１から３のうちいずれか１項に記載の梱包材。
【発明の詳細な説明】
【技術分野】
【０００１】
本発明は養生材を兼ねた建築資材の梱包材に関し、詳しくは、梱包材から建築資材を取り出した後に、該建築資材を用いた箇所を養生する養生材を備えた梱包材に関し、特に該建築資材を用いた施工部に対する注意を換気する手段を有する養生材を備えた梱包材に関する。
【背景技術】
【０００２】
従来から種種の建築資材が合成樹脂製の袋、ダンボール等の紙製の箱体、袋等の梱包材に梱包されて建築現場へ搬入されている。そして、これらの建築資材が梱包材から取り出されて使用された後には梱包材は廃棄処分されている。
【０００３】
このような梱包材の有効利用を図るものとして、階段の踏板の梱包材に関し、ダンボール紙製の梱包材の表面に厚紙や合板等の表面養生材を貼着しているものもある（例えば、特許文献１参照。）。
【０００４】
しかし、この従来の梱包材は施工した階段の踏板の傷を防止するためのものであり、表面養生材は踏板の上に置かれ、作業者がその上を気兼ねなく歩けるようにはなっているが、その施工部の存在を認識させたり、触れるのを防止するための機能が備わっているものではなかった。又、表面養生材を別途製造し、梱包材の所定の位置へ貼着して構成するため、その製造工程は複雑で、却って高コストとなる場合があった。
【０００５】
一方、建築資材を用いた施工部は、施工直後に触れるべきでない場合や、更なる作業が必要であり触れると危険である場合がある。又、透明な建築資材の場合には、作業者等が見えにくいためにその存在を認識させる必要がある場合もある。
【０００６】
このような施工部には、従来はマスキングテープ或いは何らかの注意を喚起する文言が記載されたマスキングテープやクラフトテープ等のテープを貼付したり、何らかの注意を喚起する文言又は／及び模様が記載された紙や厚紙等を貼付して、作業者等の注意を喚起しているが、これらのテープ等の養生材は建築資材とは別途に用意する必要があり、現場で手軽に調達できず作業負担が増して不便であり、しかも高価であった。しかも、これらのテープ等の養生材は使用後には廃棄されていた。従って、このような施工部の施工に際しては、梱包材に加え養生材の廃棄が行われて、廃棄物が増加し廃棄コストの上昇、環境への悪影響が増すといった問題があった。
【０００７】
【特許文献１】特開２００１−２１５８
【発明の開示】
【発明が解決しようとする課題】
【０００８】
そこで、本願発明は上記従来技術の問題点を解決し、建築資材を梱包する梱包材の有効利用を可能とし、廃棄コストの上昇、環境への悪影響を防止することを目的とする。又、施工部への注意を喚起する必要がある建築現場において、養生材を建築資材とは別途に用意する必要がなく、現場で容易に調達でき作業者の作業負担を軽減し便利で、且つ作業者等の注意を喚起可能な養生材を廉価に提供することを目的とする。
【課題を解決するための手段】
【０００９】
上記課題を解決するための本願発明は、梱包材の少なくとも一部を、注意喚起手段を備えた養生材で構成したことを特徴とする梱包材である。
【００１０】
又、上記梱包材において、注意喚起手段は文字又は／及び色の異なる複数のストライプを他の色と隣接させて構成した縞模様で構成したことを特徴とする梱包材である。
【００１１】
又、上記梱包材において、梱包材には養生材を梱包材から切り離すためのミシン目を設けたことを特徴とする梱包材である。
【００１２】
又、上記梱包材において、梱包材に、養生材を養生部分へ貼着可能とする粘着テープを設けたことを特徴とする梱包材である。
【発明の効果】
【００１３】
以上のような本願請求項１又は２記載の発明によれば、建築資材を梱包する梱包材の有効利用を可能とし、廃棄コストの上昇、環境への悪影響を防止することが出来た。又、施工部への注意を喚起する必要がある建築現場において、養生材を建築資材とは別途に用意する必要がなく、現場で容易に調達でき作業者の作業負担を軽減し便利で、且つ作業者等の注意を喚起可能な養生材を廉価に提供することが出来た。
【００１４】
又、本願請求項３又は４記載の発明によれば、養生材を使用する際の作業者の作業負担をより一層軽減することが可能となり、作業効率を高めることが可能となった。
【発明を実施するための最良の形態】
【００１５】
以下本発明の実施の形態を図に従って詳細に説明する。梱包材１は建築資材２を梱包するためのものであり、ポリエチレンの薄状シートを一端が開口した袋状にして構成している。尚、梱包材１に梱包される建築資材２は特に限定されずないが、本実施の形態の説明では建築資材２として目地に装填するバックアップ材２１を例に説明する。
【００１６】
梱包材１の材質は特に限定されず、ポリエチレン以外の合成樹脂を用いてもよく、更に、合成樹脂以外の紙、厚紙、ダンボール紙等を用いてもよい。又、その形状も一端開口の袋状に限定されず、箱状、両端開口の筒状、シート状等としてもよい。開口部は建築資材２の収納後に溶着或いはテープ等で止着し、シート状の場合には包装後にテープ等で止着する。更に、梱包材１は建築資材２の全体を被覆するものでなくてもよく、建築資材２の角端部等の一部を保護し、被覆するものでもよい。
【００１７】
梱包材１には複数の輪郭線３，３…が印刷され、輪郭線３，３及び梱包材１の両端部で囲まれた部分で養生材４を構成している。即ち、梱包材１の少なくとも一部は、養生材４で構成され、養生材４の材質は梱包材１と全く同じものが用いられている。
【００１８】
梱包材１の養生材４部分には、建築現場の養生する施工部に関して作業者等の注意を喚起する注意喚起手段５が設けられている。注意喚起手段５としては、例えば「ふれないでください」、「接触注意」、「触らないで下さい」、「養生中」、「シール養生中に付き  さわらないで下さい」、「接触厳禁」等の注意喚起可能な文字５１を印刷して構成されている。
【００１９】
又、注意喚起手段５としては、注意喚起可能な模様を用いることが出来る。このような模様としては、色の異なる複数のストライプを他の色と隣接させて構成した縞模様５７を用いることも出来、黒色のストライプ５５及び黄色のストライプ５６を交互に配して印刷する等、複数のストライプを適宜数の色にて配置して印刷する構成としてもよく、更にこの構成に前記のような文字５１を加える構成としてもよい。
【００２０】
その他、注意喚起手段５としては、作業者等の注意を喚起することが出来る赤色、黄色等の色で養生材４を着色して構成してもよく、更にこの構成に前記のような文字５１を加える構成としてもよい。
【００２１】
尚、梱包材１への印刷方法は特に限定されず公知の印刷方法が採用でき、又、その印刷は梱包材１の表面に施してもよいが、裏面に施してもよい。
【００２２】
梱包材１に設けられる養生材４の数は特に限定されず、その大きさも任意である。勿論、一個の梱包材１が梱包している一乃至複数個の建築資材２が用いられて施工された総ての箇所の養生が可能であるようにその大きさ、数を設けることが望ましい。養生材４部分は梱包材１の一部に設けてもよいが、全面に設けてもよい。
【００２３】
輪郭線３上又はその外端近傍には輪郭線３の長さと同等に点線状に切れ込みを入れミシン目６を設け、養生材４を梱包材１から容易に切り取れるようにすることは推奨される。又、梱包材１の養生材４部分の端部にはシール付きの両面粘着テープ９３を貼着し、養生材４の使用時にシールを剥して養生部分へ貼着可能とすることは、別個の粘着テープを用意する必要がなく便利であるので好ましい。
【００２４】
尚、ミシン目６を設ける等して養生材４の輪郭が輪郭線３を設けなくても明確な場合には、輪郭線３を設けなくてもよい。このようにして梱包材１に設けられた輪郭線３、注意喚起手段５或いはミシン目６等の適宜の組み合わせによりにより養生材４の輪郭が形成され、梱包材１の梱包機能を有する部分の少なくとも一部が養生材４となる。即ち、養生材４がなければ梱包材１の梱包機能は生じず、梱包機能を生じさせる梱包材１の部分が養生材４で構成されている。
【００２５】
尚、梱包材１に梱包される建築資材２に応じて、注意喚起手段５たる文字５１は「ガラス注意」、「ペンキ塗りたて」や「立入禁止」等の注意を喚起する文字を用いることが出来る。
【００２６】
次に本発明の使用について説明する。建築現場の目地９１に装填するバックアップ材２１を梱包した梱包材１からバックアップ材２１を取出し、目地９１に装填する。バックアップ材２１の表面に目地９１を埋めるようにシーリング材９９を充填する。このシーリング材９９は充填直後は硬化せず、硬化までに数時間乃至数日必要であるので、硬化までにこの施工部分に触れないよう作業者等の注意を喚起する必要がある。
【００２７】
そこで、梱包材１からミシン目６に沿って養生材４を切り取る。ミシン目６を設けていない場合には、輪郭線３に沿ってカッターナイフ等で切り取る。
【００２８】
このようにして梱包材１から切り取られた養生材４の端部に設けられた粘着テープ９３からシールを剥し、養生材４を目地９１を覆うように粘着テープ９３，９３を用いて壁面９７に貼着し、養生を行う。養生材４に粘着テープ９３，９３を設けていない場合には、別個の粘着テープ９６にて養生材４を貼着すればよい。
【００２９】
このようにして、建築資材２を梱包した梱包材１は直ぐに廃棄されることなく、養生材としても利用される。
【図面の簡単な説明】
【００３０】
【図１】本発明一実施例上面図
【図２】本発明一実施例梱包時使用状態斜視図
【図３】本発明一実施例養生時使用状態斜視図
【図４】本発明第二の実施例上面図
【図５】本発明第三の実施例上面図
【符号の説明】
【００３１】
１    梱包材
２    建築資材
３    輪郭線
４    養生材
５    注意喚起手段
５１  注意喚起可能な文字
５５  黒色のストライプ
５６  黄色のストライプ
５７  縞模様
６    ミシン目
９１  目地
９３  粘着テープ
【図１】
2006347571.tif 000003
【図２】
2006347571.tif 000004
【図３】
2006347571.tif 000005
【図４】
2006347571.tif 000006
【図５】
2006347571.tif 000007